(57)【要約】      （修正有）【課題】作業中に、顔に流れ出る汗をいちいち手にしたタオルで拭う必要がなく、且つ目と目出し窓の当接位置がずれる心配がない構造を有する忍者覆面風の手ぬぐいを提供する。【解決手段】頭部を周回できる縦横の長さを有する布地体１に横長孔状の目出し窓を開け、目出し窓に網３を設け、頭部の周囲にぴったり適合させる為の位置決めのループ状のボタン掛け紐４ａ，４ｂとボタン５ａ、５ｂ、５ｃ、５ｄが配設された忍者手ぬぐい。【選択図】図２
2020203058.tif 000002
【特許請求の範囲】
【請求項１】
頭部を周回し、額から頸部までを覆うに足る長さ・幅を有する略矩形状の布地体において、これを装着した時の上下左右を前提して、以下説明するのであるが、
上下の長手辺の一方側、即ち上部長手辺寄りの中央部に、同時に両目を出す一つの横長孔、即ち目出し窓を備え、
一方の短手辺際域において、上下夫々の長手辺沿いに長手辺に平行に、間隔をおいて二つ又は複数のボタンを上下対称的に設けてあり、
他方側の短手辺際において、長手辺に平行するボタン列線上のボタンとの対向的な上下夫々の位置に、ループ状のボタン掛け紐を設けてあることを特徴とする忍者手ぬぐい。
【請求項２】
目出し窓に、網材を用いて目出し網窓の形態をとることを特徴とする、請求項１に記載の忍者手ぬぐい。
【発明の詳細な説明】
【技術分野】
【０００１】  本発明は、顔に巻く手ぬぐいに関するものである。
【背景技術】
【０００２】  従来、顔に巻き付けて使用する際に、タオルの中央付近に、長手方向に並んだ目出し用の２個の開口を有し、利用者の目の位置となるようにすることによって、利用者がタオルを顔に巻いて使用する際であっても、視界が遮られないようにして、顔からの汗を効率的に吸水したり、埃や汚れ等が顔等に付かないようにした先行技術が知られていれる。（特許文献１参照）。
【先行技術文献】
【特許文献】
【０００３】
【特許文献１】特開２０１１−２１７８０２号公報
【発明の概要】
【発明が解決しようとする課題】
【０００４】  しかしながら、上述のようにしてタオルを使用する場合、目出し用の２個の開口は、人によっては目と目の間隔が夫々違う為、合わず、又、少しでもタオルがずれてしまうと視野を遮ってしまう。更には、ゴミや虫等がタオル内に侵入してきてしまうという問題点があった。
【課題を解決するための手段】
【０００５】  顔に噴き出る汗を、いちいちタオルを取り出して拭き取る手間を省き、作業を一時中断することなく続行しながら、半ば自動的に汗を取り除くために、忍者のような恰好で使用する手ぬぐいであって、頭部を周回し、額から頸部までを覆うに足る長さ・幅を有する略矩形状の布地体において、これを装着した時の上下左右を前提し、又は、横長に展開して立て置いた状態を前提して、以下説明する。【０００６】  上下の長手辺の一方側寄り、即ち上部長手辺寄りの中央部に、同時に両目を出す一つの横長孔、即ち目出し窓を備え、一方の短手辺際域において、上下夫々の長手辺沿いに長手辺に平行に、間隔をおいて二つ又は複数のボタンを上下対称的に設けてあり、他方の短手辺沿いにおいて、長手辺に平行するボタン列線上のボタンとの対向的な上下夫々の位置に、ループ状のボタン掛け紐を設けてある。
尚、ゴミや飛び回る小さな虫が目に入り易い作業環境で使用する場合には、目出し窓は網材を用いた目出し網窓の形態がふさわしい。
以上を特徴とする忍者手ぬぐいである。
【発明の効果】
【０００７】  本発明は、布地体の長手辺の片側が、額に密着しているため、流れ出る汗を効率的に吸収するだけでなく、ボタンの掛け外しにより、容易に着脱できる。【０００８】  また、炎天下の屋外作業などでは、頭部周囲を覆う所要の長さと幅を有する矩形の布地体であることによって、装着時における頸部（首筋）の日焼け防止を図ることができると共に、寒い日の外出時では、防寒効果も得られ、埃除けとして、口腔マスクにもなり得る。【０００９】  更に、ゴミや虫の飛び交う作業環境では、目出し網窓によってゴミや虫等の侵入を防ぐ事ができる。
【図面の簡単な説明】
【００１０】
【図１】  本発明を横長に展開して立て置いた状態を示す正面図
【図２】  本発明において、図１に示された目出し窓が目出し網窓の形態にある場合を示した正面図
【図３】  図２に示された本発明の背面図
【図４】  図２に示された本発明の平面図
【図５】  本発明の装着状態を示すイメージ図
【発明を実施するための形態】
【００１１】  以下、本発明の実施の形態について説明する。
【００１２】  頭部を周回し、額から頸部までを覆うに足る長さと幅を有する略矩形状の布地体（１）において、上下の長手辺の一方側寄り、即ち上部長手辺寄りの中央部に、同時に両目を出す一つの横長孔、即ち目出し窓（２）を備え、一方の短手辺際域において、上下夫々の長手辺沿いに長手辺に平行に、間隔をおいて二つ又は複数のボタン（５）、即ちボタン（５ａ，５ｃ）とボタン（５ｂ，５ｄ）を上下対称的に設けてあり、他方の短手辺沿いにおいて、長手辺に平行するボタン列線上のボタン（５）、即ちボタン（５ａ，５ｃ）及びボタン（５ｂ，５ｄ）との対向的な上下夫々の位置に、ループ状のボタン掛け紐（４）、即ちボタン掛け紐（４ａ）及びボタン掛け紐（４ｂ）を設けてある。
【００１３】  尚、ゴミや虫が飛び交う作業環境では、目出し窓（２）は、目出し網窓（３）の形態がふさわしい。
【００１４】  本発明は以上の様な構成であり、これを使用する時は、使用者の顔面に、図２に示す布地体（１）の背面側、即ち図３に示された面を宛がい、目出し窓（２）又は目出し網窓（３）から使用者の両目を出す際、視界が最大になる位置に合わせ込み、使用者の頭部からずり落ちない様に、布地体（１）の長手方向の両端を互いに引っ張りながら、上下のボタン掛け紐（４）を、対向するボタン（５）に掛け止めて作業する。
【００１５】  また、使用中は、夏場などは特に汗を吸収することにより、布地体（１）が重くなり、ずり下がる場合は、ボタン掛け紐（４ａ）を、ボタン（５ａ）からボタン（５ｃ）に掛け替えればよい。又、立木の枝などの障害物がある場所や、狭い場所で作業する時、布地体（１）がそれらに干渉し、使用者の自由な動作の妨げになる場合は、顔面によりフィットさせるために、ボタン掛け紐（４ｂ）を、ボタン（５ｂ）からボタン（５ｄ）に掛け替えればよい。
【００１６】  更に、頭部が小さい子供など、ボタン掛け紐（４）を、ボタン（５）に掛けても使用者の頭部に固定できない場合は、布地体（１）の長手方向の互いの両隅部分を後頭部で結んで固定する。
【００１７】  また更に、本発明を取り外す際は、ボタン（５）からボタン掛け紐（４）を外すだけでよい。
【００１８】  尚、図３は、背面図であり、使用者の顔面に接地する面である。
【符号の説明】
【００１９】  １    布地体            ２    目出し窓          ３    目出し網窓
４    ボタン掛け紐      ４ａ  ボタン掛け紐      ４ｂ  ボタン掛け紐
５    ボタン            ５ａ  ボタン            ５ｂ  ボタン
５ｃ  ボタン            ５ｄ  ボタン
【図１】
2020203058.tif 000003
【図２】
2020203058.tif 000004
【図３】
2020203058.tif 000005
【図４】
2020203058.tif 000006
【図５】
2020203058.tif 000007